(57)【要約】［課題］  ハンドオーバ制御を行う一般的なＬＴＥ移動通信システムは、ハンドオーバ制御が失敗する可能性があった。［解決手段］  移動通信システムは、ハンドオーバ制御を実施する移動通信システムであって、ハンドオーバ元セルの無線基地局装置は、ハンドオーバ制御を実施するに先立ち、事前に確保するリソースと前記リソースの数に対応する識別子を、ハンドオーバ先セルの無線基地局装置に通知するリソース確保手段を備え、ハンドオーバ元セルの無線基地局装置は、前記ハンドオーバ制御を実施するに先立ち、ハンドオーバ元セルの無線基地局装置から事前に確保するリソースと前記リソースの数に対応する識別子を受信し、識別子に対応する前記リソースを前記リソースの数分、ハンドオーバ用のリソースとして予め確保するリソース確保実行手段を備える。
2013136797.tif 000002
【特許請求の範囲】
【請求項１】
ハンドオーバ制御を実施するハンドオーバ元セルの無線基地局装置であって、
前記ハンドオーバ制御を実施するに先立ち、事前に確保するリソースと前記リソースの数に対応する識別子を、ハンドオーバ先セルの無線基地局装置に通知するリソース確保手段を備える、
ことを特徴とする無線基地局装置。
【請求項２】
前記無線基地局装置は、前記ハンドオーバ制御時、前記ハンドオーバ先セルの無線基地局装置に事前に確保した前記リソースを使用して前記ハンドオーバ制御を実施するかを判定する判定手段を備え、
前記判定手段が事前に確保した前記リソースを使用すると判定した場合には、少なくとも前記識別子を前記ハンドオーバ先セルの無線基地局装置に通知し、
前記判定手段が事前に確保した前記リソースを使用しないと判定した場合、ハンドオーバ先候補セルを抽出する為に必要な情報を前記ハンドオーバ先セルの無線基地局装置に通知し、その後、前記ハンドオーバ先セルの無線基地局装置から前記ハンドオーバ先候補セルが通知された場合は、前記ハンドオーバ先候補セルから新たなハンドオーバ先セルを選択し、選択した前記新たなハンドオーバ先セルに前記ハンドオーバ制御を実施する、
ことを特徴とする請求項１に記載の無線基地局装置。
【請求項３】
前記無線基地局装置は、前記ハンドオーバ先セルの無線基地局装置で障害が発生していることを認識した場合、前記ハンドオーバ先セルの無線基地局装置に対し、ハンドオーバ先候補セルを抽出する為に必要な情報を通知し、その後、前記ハンドオーバ先セルの無線基地局装置から前記ハンドオーバ先候補セルが通知された場合は、前記ハンドオーバ先候補セルから前記新たなハンドオーバ先セルを選択し、前記新たなハンドオーバ先セルで前記ハンドオーバ制御を実施する、
ことを特徴とする請求項１乃至２のいずれか１項に記載の無線基地局装置。
【請求項４】
ハンドオーバ制御を実施するハンドオーバ先セルの無線基地局装置であって、
前記ハンドオーバ制御を実施するに先立ち、ハンドオーバ元セルの無線基地局装置から事前に確保するリソースと前記リソースの数に対応する識別子を受信し、前記識別子に対応する前記リソースを前記リソースの数分、ハンドオーバ用のリソースとして予め確保するリソース確保実行手段を備える、
ことを特徴とする無線基地局装置。
【請求項５】
前記無線基地局装置は、前記ハンドオーバ制御時、前記ハンドオーバ元セルの無線基地局装置から前記識別子を受信した場合には、前記識別子に対応するリソースで前記ハンドオーバ制御を実施する、
ことを特徴とする請求項４に記載の無線基地局装置。
【請求項６】
前記無線基地局装置は、前記ハンドオーバ制御時、前記ハンドオーバ元セルの無線基地局装置から前記ハンドオーバ先候補セルを抽出する為に必要な情報を受信した場合、前記ハンドオーバ制御が実施可能かを判定し、実施が不可能と判定すると、前記ハンドオーバ先候補セルを抽出する為に必要な情報を用いて前記ハンドオーバ先候補セルを抽出し、前記ハンドオーバ元セルの無線基地局装置に通知する、
ことを特徴とする請求項４乃至５のいずれか１項に記載の無線基地局装置。
【請求項７】
前記無線基地局装置は、前記無線基地局装置に接続している端末が所定の一定時間後に在圏している可能性がある隣接セルを検出し、前記隣接セルの受信品質、若しくは受信電力に重み付けをおこなった値が所定の値以上である前記隣接セルを前記ハンドオーバ先候補セルとして抽出する、
ことを特徴とする請求項６に記載の無線基地局装置。
【請求項８】
ハンドオーバ制御を実施する移動通信システムであって、
ハンドオーバ元セルの無線基地局装置は、請求項１乃至３のいずれかに記載の無線基地局装置であり、
ハンドオーバ先セルの無線基地局装置は、請求項４乃至７のいずれかに記載の無線基地局装置である、
ことを特徴とする移動通信システム。
【請求項９】
前記ハンドオーバ元セルの無線基地局装置は、前記ハンドオーバ先セルの無線基地局装置のキャパシティを取得し、前記キャパシティに所定の数を乗算した値を確保すべきリソース量とし、前記ハンドオーバ先セルの前記無線基地局装置に通知し、前記ハンドオーバ先セルの無線基地局装置は、前記リソース量分のリソースをハンドオーバ用のリソースとして確保する、
ことを特徴とする請求項８に記載の移動通信システム。
【請求項１０】
ハンドオーバ制御を実施するに先立ち、ハンドオーバ元セルの無線基地局装置が、事前に確保するリソースと前記リソースの数に対応する識別子をハンドオーバ先セルの無線基地局装置に通知し、前記ハンドオーバ先セルの無線基地局装置が、受信した前記識別子に対応する前記リソースを前記リソースの数分、ハンドオーバ用のリソースとして予め確保する、
ことを特徴とするモビリティ制御方法。
【発明の詳細な説明】
【技術分野】
【０００１】
本発明は、無線基地局装置、ＬＴＥ移動通信システム、モビリティ制御方法に関し、特に、ハンドオーバ制御を行う無線基地局装置、ＬＴＥ移動通信システム、モビリティ制御方法に関する。
【背景技術】
【０００２】
ＬＴＥ（Ｌｏｎｇ  Ｔｅｒｍ  Ｅｖｏｌｕｔｉｏｎ）を適用した移動通信システム（以下、「ＬＴＥ移動通信システム」という）において、通信中の端末がセルを跨いで移動する際、通信状態を継続したまま移動することを可能とするハンドオーバ制御が知られている。移動前のセルの基地局（以下、「移動元基地局」という）は、ハンドオーバ制御の開始を決定し、移動先のセルの基地局（以下、「移動先基地局」という）に制御情報を通知する。移動先基地局は、移動元基地局からの制御情報に基づいて通信帯域等のリソースを確保し、確保したリソースにてハンドオーバ制御を行う。ハンドオーバ制御については以下の先行技術文献に規定がされている。【０００３】
また、各基地局のセル負荷を分散する目的で、基地局間でセル毎に、サービス提供状況や無線／有線等の負荷情報を通知する手段も考えられており、移動元基地局は、移動先基地局の状況を用いて移動先のセル（以下、「ハンドオーバ先セル」という）を決定することが可能となっている。なお、以下、移動前のセルを「ハンドオーバ元セル」という。
【先行技術文献】
【非特許文献】
【０００４】
【非特許文献１】LTE/3GPP TS36.300 v10.4.0 2011-06, Technical Specification Group Radio Access Network; Evolved Universal Terrestrial Radio Access (E-UTRA) and Evolved Universal Terrestrial Radio Access Network(E-UTRAN); Overall description; Stage 2(Release 10)
【非特許文献２】LTE/3GPP TS36.331 v10.2.0 2011-06, Technical Specification Group Radio Access Network; Evolved Universal Terrestrial Radio Access (E-UTRA); Radio Resource Control (RRC) Protocol specification (Release 10)
【非特許文献３】LTE/3GPP TS36.413 v10.2.0 2011-06, Technical Specification Group Radio Access Network; Evolved Universal Terrestrial Radio Access (E-UTRA); S1 application protocol (S1AP) (Release 10)
【非特許文献４】LTE/3GPP TS36.423 v10.2.0 2011-06, Technical Specification Group Radio Access Network; Evolved Universal Terrestrial Radio Access (E-UTRA); X2 application protocol (X2AP) (Release 10)
【発明の開示】
【発明が解決しようとする課題】
【０００５】
しかし、一般的なＬＴＥ移動通信システムは、ハンドオーバ制御を失敗する可能性があった。その理由を以下に説明する。【０００６】
移動先基地局は、サービスを提供しているセルの状況が変化する契機で当該セルの状態を移動元基地局に通知したり、移動元基地局から要求された周期で負荷情報を通知する。すなわち、移動先基地局は、移動元基地局のハンドオーバ制御とは非同期に自身の状況を通知する。その為、移動元基地局は、移動先基地局から最新の状況が通知される前にハンドオーバ制御を開始する場合があり、ハンドオーバ制御が失敗する可能性があった。例えば、輻輳等により、移動先基地局においてリソースが不足する状況となっても、その状況が通知される前の移動元基地局は、移動先基地局にハンドオーバの制御ができると判断し、ハンドオーバの制御を開始してしまう。その結果、移動元基地局は、移動先基地局にリソースが確保できずに、ハンドオーバ制御が失敗しまう。ＬＴＥ移動通信システムは、移動先基地局においてリソースが不足する状況であっても、ハンドオーバ制御を行う可能性がある為に、ハンドオーバ制御を失敗する可能性があった。【０００７】
なお、移動先基地局が移動元基地局に通知する頻度を高くしたり、移動元基地局が複数のハンドオーバ候補先セルに対してハンドオーバを同時に開始したりすることが考えられる。これらの方法を用いることで、移動元基地局がリソース不足した状態でハンドオーバを開始しないようにすることができ、ハンドオーバの失敗を回避することが可能となる。しかし、これらの方法は、基地局間で通信するメッセージの量が増えるため、逆にネットワーク負荷を圧迫させる可能性がある。【０００８】
本発明は、上記課題を解決する無線基地局装置、ＬＴＥ移動通信システム、モビリティ制御方法を提供することを目的とする。
【課題を解決するための手段】
【０００９】
上記目的を達成するために、本発明の無線基地局装置は、ハンドオーバ制御を実施するハンドオーバ元セルの無線基地局装置であって、前記ハンドオーバ制御を実施するに先立ち、事前に確保するリソースと前記リソースの数に対応する識別子を、ハンドオーバ先セルの無線基地局装置に通知するリソース確保手段を備える。【００１０】
上記目的を達成するために、本発明の無線基地局装置は、ハンドオーバ制御を実施するハンドオーバ先セルの無線基地局装置であって、前記ハンドオーバ制御を実施するに先立ち、ハンドオーバ元セルの無線基地局装置から事前に確保するリソースと前記リソースの数に対応する識別子を受信し、前記識別子に対応する前記リソースを前記リソースの数分、ハンドオーバ用のリソースとして予め確保するリソース確保実行手段を備える。【００１１】
上記目的を達成するために、本発明の移動通信システムは、ハンドオーバ制御を実施する移動通信システムであって、ハンドオーバ元セルの無線基地局装置は、前記ハンドオーバ制御を実施するに先立ち、事前に確保するリソースと前記リソースの数に対応する識別子を、ハンドオーバ先セルの無線基地局装置に通知するリソース確保手段を備え、ハンドオーバ先セルの無線基地局装置は、前記ハンドオーバ制御を実施するに先立ち、ハンドオーバ元セルの前記無線基地局装置から事前に確保するリソースと前記リソースの数に対応する識別子を受信し、前記識別子に対応する前記リソースを前記リソースの数分、ハンドオーバ用のリソースとして予め確保するリソース確保実行手段を備える。【００１２】
上記目的を達成するために、本発明のモビリティ制御方法は、ハンドオーバ制御を実施するに先立ち、ハンドオーバ元セルの無線基地局装置が、事前に確保するリソースと前記リソースの数に対応する識別子をハンドオーバ先セルの無線基地局装置に通知し、前記ハンドオーバ先セルの無線基地局装置が、受信した前記識別子に対応する前記リソースを前記リソースの数分、ハンドオーバ用のリソースとして予め確保する方法である。
【発明の効果】
【００１３】
本発明によれば、ＬＴＥ移動通信システムは、ハンドオーバ制御の失敗を低減し、さらに基地局間のネットワーク負荷を軽減することができる。
【図面の簡単な説明】
【００１４】
【図１】本発明の第１の実施の形態におけるＬＴＥ移動通信システムの構成例を示すブロック図である。
【図２】本発明の第１の実施の形態におけるＬＴＥ移動通信システムの動作（事前割当時の動作）を説明する為の図である。
【図３】本発明の第１の実施の形態における移動先基地局に事前に確保したいリソースに関する情報の一例である。
【図４】本発明の第１の実施の形態におけるＬＴＥ移動通信システムの動作（事前割当リソースを使用してハンドオーバする時の動作）を説明する為の図である。
【図５】本発明の第１の実施の形態におけるＬＴＥ移動通信システムの動作（事前割当リソースを使用せずにハンドオーバする時の動作）を説明する為の図である。
【図６】本発明の第１の実施の形態における移動先基地局がハンドオーバ先候補セルを抽出するために必要な情報の一例である。
【図７】本発明の第１の実施の形態における移動先基地局に事前に確保したいリソースに関する情報（Ｃａｒｒｉｅｒ  Ａｇｇｒｅｇａｔｉｏｎ機能を考慮した場合）の一例である。
【図８】本発明の第２の実施の形態におけるＬＴＥ移動通信システムの動作（移動元基地局における事前割当動作）を説明する為の図である。
【発明を実施するための形態】
【００１５】
次に本発明の実施形態について、図面を参照して詳細に説明する。
【００１６】
［第１の実施の形態］
［構成の説明］
図１は、本発明の第１の実施の形態におけるＬＴＥ移動通信システムの構成例を示すブロック図である。図１に示されるように、第１の実施の形態におけるＬＴＥ移動通信システムは、少なくとも移動元基地局Ａ１０１、移動先基地局Ｂ１０２、端末１０３から構成される。移動元基地局Ａ１０１と移動先基地局Ｂ１０２は、互いに有線回線を介して接続され、端末１０３は、無線回線を介して移動元基地局Ａ１０１と移動先基地局Ｂ１０２に接続される。
【００１７】
［動作の説明］
本発明の第１の実施の形態におけるＬＴＥ移動通信システムにおける、移動元基地局Ａ１０１から移動先基地局Ｂ１０２へハンドオーバする際の動作について、図２〜図６を用いて説明する。
【００１８】
図２は、本発明の第１の実施の形態におけるＬＴＥ移動通信システムの動作（事前割当時の動作）を説明する為の図である。また、図３は、本発明の第１の実施の形態における移動先基地局に事前に確保したいリソースに関する情報の一例である。図４は、本発明の第１の実施の形態におけるＬＴＥ移動通信システムの動作（事前割当リソースを使用してハンドオーバする時の動作）を説明する為の図である。さらに、図５は、本発明の第１の実施の形態におけるＬＴＥ移動通信システムの動作（事前割当リソースを使用せずにハンドオーバする時の動作）を説明する為の図である。
【００１９】
（１）事前割当動作
まず、移動元基地局Ａ１０１は、ハンドオーバ制御を行うに先立ち、移動先基地局Ｂ１０２にリソースを事前に割り当てられるかを確認する動作を行う。図２を用いて、本動作を以下に説明する。
【００２０】
始めに、移動元基地局Ａ１０１は、移動先基地局Ｂ１０２に事前に確保したいリソースに関する情報２２０２（以下、「事前に確保したいリソース情報」という）を、ＨＡＮＤＯＶＥＲ  ＰＲＥＡＳＳＩＧＮＭＥＮＴ  ＲＥＱＵＥＳＴ２２０１に含めて移動先基地局Ｂ１０２に送信する。ＨＡＮＤＯＶＥＲ  ＰＲＥＡＳＳＩＧＮＭＥＮＴ  ＲＥＱＵＥＳＴ２２０１は、移動元基地局Ａ１０１から移動先基地局Ｂ１０２へのメッセージである。
【００２１】
事前に確保したいリソース情報は、図３に示すように、事前確保したいリソースを示すリソースＩＤ、ハンドオーバを実施したいハンドオーバ先セルを示すＩＤ、事前に割り当てを要求するリソースの数を含む。図中、ハンドオーバを実施したいハンドオーバ先セルを示すＩＤは、「事前割当したいセルのＩＤ」と記載し、事前に割り当てを要求するリソースの数は、「割当リソース数」と記載している。図３では、割当リソース数は所定の通信帯域の数としているが、この限りではない。例えば、事前に割り当てるリソースは、ベースバンド処理を行う処理部であってもよい。所定の通信帯域や事前に確保したいリソース情報は、本実施の形態のユーザによって移動元基地局Ａ１０１に設定される。なお、移動元基地局Ａ１０１は、事前に確保したいリソース情報を、ＨＡＮＤＯＶＥＲ  ＰＲＥＡＳＳＩＧＮＭＥＮＴ  ＲＥＱＵＥＳＴの代わりにＸ２−ＡＰ：ＨＡＮＤＯＶＥＲ  ＲＥＱＵＥＳＴ内に含めて送信することも可能である。Ｘ２−ＡＰ：ＨＡＮＤＯＶＥＲ  ＲＥＱＵＥＳＴは、ハンドオーバ制御時に移動元基地局Ａ１０１から移動先基地局Ｂ１０２へ通知される公知のメッセージで、非特許文献４に規定されている。
【００２２】
次に、ＨＡＮＤＯＶＥＲ  ＰＲＥＡＳＳＩＧＮＭＥＮＴ  ＲＥＱＵＥＳＴ２２０１を受信した移動先基地局Ｂ１０２は、事前に確保したいリソース情報から事前に確保したいリソースを認識する。そして、移動先基地局Ｂ１０２は事前に確保したいリソースが割当可能である場合は、そのリソースを確保し、ＨＡＮＤＯＶＥＲ  ＰＲＥＡＳＳＩＧＮＭＥＮＴ  ＲＥＱＵＥＳＴ  ＡＣＫＮＯＷＬＥＤＧＥ２２０３を移動元基地局Ａ１０１に応答する。ＨＡＮＤＯＶＥＲ  ＰＲＥＡＳＳＩＧＮＭＥＮＴ  ＲＥＱＵＥＳＴ  ＡＣＫＮＯＷＬＥＤＧＥ２２０３は、割当可能であることを示すメッセージである。
【００２３】
また、移動元基地局Ａ１０１と移動先基地局Ｂ１０２は、事前に確保したリソース(以下、「事前割当リソース」という）の総数を事前割当可能リソース値として記憶する。
【００２４】
（２）事前割当リソースを使用してハンドオーバするか否かの判定
その後、ハンドオーバの開始を決定した移動元基地局Ａ１０１は、端末１０３の優先度に応じて、事前に確保したリソース、すなわち事前割当リソースを使用してハンドオーバするか否かを判定する。上述の優先度とは、当該端末向けに確立しているベアラのＡＲＰ（Ａｌｌｏｃａｔｉｏｎ  ａｎｄ  Ｒｅｔｅｎｔｉｏｎ  Ｐｒｉｏｒｉｔｙ）情報やＣＱＩ（ＱｏＳ  Ｃｌａｓｓ  Ｉｄｅｎｔｉｆｉｅｒ）情報等を用いて判定される。例えば、移動元基地局Ａ１０１は、ＣＱＩから認識される遅延許容時間が所定の許容時間以下のベアラについては、確実にハンドオーバを実施する為、優先度高と判定する。移動元基地局Ａ１０１は、優先度高のベアラで通信を行う端末１０３は、事前割当リソースを使用してハンドオーバをすると判定する。
【００２５】
（３）事前割当リソースを使用してハンドオーバする時の動作
図４を用いて、事前割当リソースを使用してハンドオーバする時の動作を以下に説明する。
【００２６】
まず、事前割当リソースを使用してハンドオーバをすると決定した移動元基地局Ａ１０１は、Ｘ２−ＡＰ：ＨＡＮＤＯＶＥＲ  ＲＥＱＵＥＳＴ２３０１内にリソースＩＤ２３０２、当該要求で使用するリソース情報２３０３を含めて、移動先基地局Ｂ１０２に送信する。Ｘ２−ＡＰ：ＨＡＮＤＯＶＥＲ  ＲＥＱＵＥＳＴ２３０１は、非特許文献４に規定されたメッセージであり、移動元基地局Ａ１０１が移動先基地局Ｂ１０２にハンドオーバを要求するメッセージである。また、上述のリソース情報２３０３は、移動先基地局Ｂ１０２がハンドオーバの実施に使用する情報である。なお、ハンドオーバ先セルでの不慮のサービス障害等にリアルタイムに対応するために、後述するように、Ｘ２−ＡＰ：ＨＡＮＤＯＶＥＲ  ＲＥＱＵＥＳＴ２３０１内に移動先基地局がハンドオーバ先候補セルを抽出するために必要な情報を含めて、送信することも可能である。
【００２７】
次に、移動先基地局Ｂ１０２は、リソースＩＤ２３０２、当該要求で使用するリソース情報２３０３を受信する。移動先基地局Ｂ１０２は、事前割当リソースの内、リソースＩＤ２３０２が示すリソースにて、当該要求で使用するリソース情報２３０３を元にハンドオーバ制御を行う。
【００２８】
また、移動先基地局Ｂ１０２は、ハンドオーバ制御で割り当てたリソース数分減算した事前割当可能リソース値を、Ｘ２−ＡＰ：ＨＡＮＤＯＶＥＲ  ＲＥＱＵＥＳＴ  ＡＣＫＮＯＷＬＥＤＧＥ２３０４で移動元基地局Ａ１０１に通知する。Ｘ２−ＡＰ：ＨＡＮＤＯＶＥＲ  ＲＥＱＵＥＳＴ  ＡＣＫＮＯＷＬＥＤＧＥ２３０４は、Ｘ２−ＡＰ：ＨＡＮＤＯＶＥＲ  ＲＥＱＵＥＳＴ２３０１に対する応答メッセージであり、非特許文献４に規定されている。Ｘ２−ＡＰ：ＨＡＮＤＯＶＥＲ  ＲＥＱＵＥＳＴ  ＡＣＫＮＯＷＬＥＤＧＥ２３０４を受信した移動元基地局Ａ１０１は、事前割当可能リソース値を、ハンドオーバ制御で割り当てたリソース数分減算した事前割当可能リソース値に更新する。
【００２９】
次に、移動元基地局Ａ１０１は、非特許文献２に規定されているＲＲＣ：ＲＲＣ  Ｃｏｎｎｅｃｔｉｏｎ  Ｒｅｃｏｎｆｉｇｕｒａｔｉｏｎ２３０５を使用して、ハンドオーバ処理を継続して実施する。
【００３０】
（４）事前割当リソースを使用せずにハンドオーバする時の動作
図５を用いて、事前割当リソースを使用せずにハンドオーバする場合の動作を説明する。
【００３１】
まず、事前割当リソースを使用せずにハンドオーバすることを決定した移動元基地局Ａ１０１は、移動先基地局Ｂ１０２がハンドオーバ先候補セルを抽出するために必要な情報２４０２を、Ｘ２−ＡＰ：ＨＡＮＤＯＶＥＲ  ＲＥＱＵＥＳＴ２４０１内に含めて送信する。図６は、ハンドオーバ先候補セルを抽出するために必要な情報２４０２の一例である。
【００３２】
次に、移動先基地局Ｂ１０２は、Ｘ２−ＡＰ：ＨＡＮＤＯＶＥＲ  ＲＥＱＵＥＳＴ２４０１を受信し、ハンドオーバ先セルにハンドオーバ可能か否かを判定する。移動先基地局Ｂ１０２は、当該セルにハンドオーバが不可能と判断した場合、例えば、リソースが確保できない場合、当該セルの隣接セルリストを検索し、隣接セルを認識する。移動先基地局Ｂ１０２は、認識した隣接セルの内、ハンドオーバ先候補セルを抽出するための情報２４０２を用いて、ハンドオーバ先セルとなりえるセルのリスト（以下、「ハンドオーバ先セルの候補リスト」という）を抽出する。このハンドオーバ先セルの候補リストを抽出する動作について、以下、図６を用いて説明する。
【００３３】
まず、移動先基地局Ｂ１０２は、図６に示す端末の推定位置情報と端末の推定移動速度から、当該端末がある一定時間後に隣接セルのエリア内に在圏している可能性があるか否かを判定する。そして、移動先基地局Ｂ１０２は、在圏している可能性がある隣接セルの受信品質／受信電力に所定の係数を乗算し、所定の閾値以上を満たす隣接セルをハンドオーバ先候補リストとして抽出する。所定の係数や所定の閾値は、本実施のユーザによって移動先基地局Ｂ１０２に設定される。
【００３４】
次に、移動先基地局Ｂ１０２は、ハンドオーバ先セルの候補リスト２４０４、さらに要求されたハンドオーバ先セルへのハンドオーバが不可能であることを移動元基地局Ａ１０１に通知する。また、移動先基地局Ｂ１０２は、ハンドオーバ先セルの候補リスト２４０４と共に、ハンドオーバ先セルの候補リスト２４０４にリストアップされた各隣接セルの受信品質や受信電力も移動元基地局Ａ１０１に通知する。移動元基地局Ａ１０１に通知するハンドオーバ先セルの候補リスト２４０４等は、非特許文献４に規定されるＸ２−ＡＰ：ＨＡＮＤＯＶＥＲ  ＲＥＱＵＥＳＴ  ＡＣＫＮＯＷＬＥＤＧＥ２４０３に含めて通知することもできる。
【００３５】
次に、ハンドオーバ先セルの候補リスト２４０４を受信した移動元基地局Ａ１０１は、ハンドオーバ先セルの候補リスト２４０４からハンドオーバ先候補セルを認識する。移動元基地局Ａ１０１は、ハンドオーバ先候補セルの中に適切なセルがある場合は、そのセルをハンドオーバ先セルと認識する。例えば、移動元基地局Ａ１０１は、所定以上で、最も受信品質の良い、若しくは最も受信電力が強いハンドオーバ先候補セルがある場合に適切なセルがあるとし、そのハンドオーバ先候補セルをハンドオーバ先セルとしてもよい。次に、移動元基地局Ａ１０１は、当該セルに対して、非特許文献２に規定されているＲＲＣ：ＲＲＣ  Ｃｏｎｎｅｃｔｉｏｎ  Ｒｅｃｏｎｆｉｇｕｒａｔｉｏｎ２４０５を使用して、公知のハンドオーバ処理を継続して実施する。
【００３６】
また、移動元基地局Ａ１０１は、ハンドオーバ先セルの候補リスト２４０４のうち、ハンドオーバしなかったセルについては、ハンドオーバさせなかったセルのリスト２４０７にリストアップする。移動元基地局Ａ１０１は、ハンドオーバさせなかったセルのリスト２４０７を移動先基地局Ｂ１０２に通知する。ハンドオーバさせなかったセルのリスト２４０７は、非特許文献４に規定されているＸ２−ＡＰ：ＨＡＮＤＯＶＥＲ  ＣＡＮＣＥＬ２４０６で通知することもできる。
【００３７】
（５）障害等にリアルタイムに対応する場合
移動元基地局Ａ１０１は、上述の（３）の動作を行っている時、移動先基地局Ｂ１０２で、不慮のサービス障害等が発生した場合には、上述の（４）の動作を行う。その結果、本実施の形態のＬＴＥ通信システムは、サービス障害等が発生していない別のセルへのハンドオーバを実施し、ハンドオーバの失敗を回避することができる。
【００３８】
なお、移動元基地局Ａ１０１が移動先基地局Ｂ１０２でサービス障害等が発生していることを認識できるように、移動先基地局Ｂ１０２を監視している上位装置は、移動元基地局Ａ１０１にサービス障害等の発生を通知するようにしてもよい。また、移動先基地局Ｂ１０２が、移動元基地局Ａ１０１にサービス障害等が発生していることを直接通知するようにしてもよい。
【００３９】
上述の（１）〜（５）の動作は、なお、3ＧＰＰのＲｅｌｅａｓｅ１０をサポートしたＬＴＥ移動通信システムでも適用でき、同様の効果を得ることが期待できる。すなわち、Ｃａｒｒｉｅｒ  Ａｇｇｒｅｇａｔｉｏｎ機能にも上述の（１）〜（５）の動作を適用することで、同様の効果を得ることが期待できる。この場合の移動先基地局に事前に確保したいリソースに関する情報の一例を図７に示す。
【００４０】
［効果の説明］
本実施の形態のＬＴＥ移動通信システムは、ハンドオーバ制御の失敗を低減し、さらに基地局間のネットワーク負荷を軽減することができる。
【００４１】
ハンドオーバ制御の失敗が低減する理由は、移動元基地局が、ハンドオーバ制御に先立って、予め移動先基地局にハンドオーバ用のリソースを確保するからである。移動先基地局は、輻輳状態であったとしても、リソースが不足していない状況でハンドオーバ制御を実施できるので、ハンドオーバの失敗を減らすことができる。また、本実施の形態のＬＴＥ移動通信システムは、ハンドオーバの失敗を減らすことで、ハンドオーバ失敗による新たなメッセージの発生を防ぐことができ、基地局間のネットワーク負荷を軽減することができる。
【００４２】
さらに、本実施の形態のＬＴＥ移動通信システムは、移動先基地局でサービス障害等が発生し、移動先基地局でハンドオーバが受付不可と判定された場合でも、ハンドオーバ先の候補となるセルを算出する。その結果、本実施の形態のＬＴＥ移動通信システムは、ハンドオーバを継続でき、ハンドオーバの失敗を低減できると共に、基地局間のネットワーク負荷を抑えることが可能となる。
【００４３】
［第２の実施の形態］
次に、本発明の第２の実施の形態について説明する。
【００４４】
［構成の説明］
本発明の第２の実施の形態におけるＬＴＥ移動通信システムの構成は、第１の実施の形態におけるＬＴＥ移動通信システムと同様である。
【００４５】
［動作の説明］
第１の実施の形態におけるＬＴＥ移動通信システムは、移動先基地局Ｂ１０２にリソースを事前確保するが、事前に確保すべきリソースの量を算出していない為に、不要に多くのリソースを確保してしまう問題が考えられる。
【００４６】
本問題を回避するために、より効率的に、リソースを事前確保する動作を図２、及び図８を用いて、以下に説明する。図８は、本実施の形態におけるＬＴＥ移動通信システムの動作（移動元基地局における事前割当動作）を説明する為の図である。
【００４７】
まず、移動元基地局Ａ１０１と呼接続をしている端末１０３（以下、ＵＥという）は、ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）を測定し、移動元基地局Ａ１０１に送信する。各ＵＥは、ＵＥから移動元基地局Ａ１０１へのメッセージであるＭｅｓｕｒｅｍｅｎｔ  Ｒｅｐｏｒｔ２２０４にＲＳＲＰやＲＳＲＱを含んで、移動元基地局Ａ１０１に通知してもよい。
【００４８】
次に、移動元基地局Ａ１０１は、各ＵＥから受信したＲＳＲＰやＲＳＲＱを用いて、ハンドオーバ候補のＵＥを抽出する。例えば、以下の動作でハンドオーバ候補のＵＥを抽出してもよい。
【００４９】
移動元基地局Ａ１０１のセルのＲＳＲＰが所定の閾値より低く、且つ移動先基地局Ｂ１０２のセルのＲＳＲＰが所定の閾値より高い状態のＵＥをハンドオーバ候補のＵＥとする。
【００５０】
次に、移動元基地局Ａ１０１は、抽出されたハンドオーバ候補のＵＥのうち、ＡＲＰ値やＣＱＩパラメータを用いてリソースを事前に確保すべきＵＥとそのリソース量（ベアラ数、及び帯域量）を算出する。この算出の手順の例を以下に示す。
【００５１】
手順１：移動元基地局Ａ１０１は、移動先基地局Ｂ１０２のキャパシティを取得する。取得方法として、移動元基地局Ａ１０１は、オペレータによる入力や非特許文献４に規定されているＲＥＳＯＵＲＣＥ  ＳＴＡＴＵＳ  ＵＰＤＡＴＥ等のプロトコルメッセージ等を用いて移動先基地局Ｂ１０２から取得してもよい。キャパシティは、例えば、移動先基地局Ｂ１０２における全リソースの内、呼処理に使用していない空きリソースの量であってもよい。リソースの量は、ベアラ数、及び帯域量である。
【００５２】
手順２：移動元基地局Ａ１０１は、手順１で取得した移動先基地局Ｂ１０２のキャパシティから移動先基地局Ｂ１０２に対して、事前割当要求すべきリソース量を決定する。決定方法としては、キャパシティに重みづけ係数を乗算した値やオペレータによる入力値を用いることができる。また、この決定方法に移動先基地局Ｂ１０２の輻輳状況を考慮して決定してもよい。
【００５３】
手順３：移動元基地局Ａ１０１は、手順２で取得した要求すべきリソース量、すなわちベアラ数、及び帯域量に対して割り当てられるＵＥを、優先度の高いＡＲＰ値の順に対象ＵＥとして抽出する。なお、要求すべきベアラ数、及び帯域まで抽出することなく、移動元基地局Ａ１０１に事前に設定されたＡＲＰの閾値を越えるＵＥを対象ＵＥとしてもよい。さらにＣＱＩを用いて要求すべきベアラ種別を限定してもよい。
【００５４】
移動元基地局Ａ１０１は、手順１〜３を実施後、事前割当可能リソース値と手順１〜３の実施により算出した値に差異があるかどうか判定する。差異がある場合、移動元基地局Ａ１０１は、事前割当可能リソース値を更新するために、図２で示したＨＡＮＤＯＶＥＲ  ＰＲＥＡＳＳＩＧＮＭＥＮＴ手順、すなわち、上述の（１）事前割当動作を実施し、移動先基地局Ｂ１０２にリソース量分のリソースを事前確保する。移動元基地局Ａ１０１は、図８に示す上述の動作を定期的に繰り返すことにより、移動先基地局Ｂ１０２で事前確保するリソースの最適化を図ることができ、より効率的なリソース管理を実施することができる。
【００５５】
［効果の説明］
本実施の形態のＬＴＥ移動通信システムは、事前確保するリソースの最適化を図ることができる。その理由としては、本実施の形態のＬＴＥ移動通信システムは、事前に確保が必要なリソース量を適宜算出するからである。
【００５６】
［第３の実施の形態］
次に、本発明の第３の実施の形態について説明する。
【００５７】
［構成の説明］
本発明の第３の実施の形態におけるＬＴＥ移動通信システムの構成は、第１の実施の形態におけるＬＴＥ移動通信システムと同様である。
【００５８】
［動作の説明］
ハンドオーバ元セルの無線基地局装置は、ハンドオーバ制御を実施するに先立ち、事前に確保するリソースとリソースの数に対応する識別子を、ハンドオーバ先セルの無線基地局装置に通知する。
【００５９】
ハンドオーバ先セルの無線基地局装置は、ハンドオーバ制御を実施するに先立ち、ハンドオーバ元セルの無線基地局装置から事前に確保するリソースとリソースの数に対応する識別子を受信し、識別子に対応するリソースをリソースの数分、ハンドオーバ用のリソースとして予め確保する。
【００６０】
［効果の説明］
本実施の形態のＬＴＥ移動通信システムは、ハンドオーバ制御の失敗を低減し、さらに基地局間のネットワーク負荷を軽減することができる。
【００６１】
なお、上述した実施の形態は、その形態に限定されるものではなく、実施段階ではその要旨を逸脱しない範囲で種々変更可能である。
【００６２】
この出願は、２０１２年３月１６日に出願された日本出願特願２０１２−０６０８６５を基礎とする優先権を主張し、その開示の全てをここに取り込む。
【符号の説明】
【００６３】
１０１    移動元基地局Ａ
１０２    移動先基地局Ｂ
１０３    端末
２２０１    ＨＡＮＤＯＶＥＲ  ＰＲＥＡＳＳＩＧＮＭＥＮＴ  ＲＥＱＵＥＳＴ
２２０２    事前に確保したいリソースに関する情報
２２０３    ＨＡＮＤＯＶＥＲ  ＰＲＥＡＳＳＩＧＮＭＥＮＴ  ＲＥＱＵＥＳＴ  ＡＣＫＮＯＷＬＥＤＧＥ
２２０４    Ｍｅｓｕｒｅｍｅｎｔ  Ｒｅｐｏｒｔ
２３０１    ＨＡＮＤＯＶＥＲ  ＲＥＱＵＥＳＴ
２３０２    リソースＩＤ
２３０３    当該要求で使用するリソース情報
２３０４    ＨＡＮＤＯＶＥＲ  ＲＥＱＵＥＳＴ  ＡＣＫＮＯＷＬＥＤＧＥ
２３０５    ＲＲＣ  Ｃｏｎｎｅｃｔｉｏｎ  Ｒｅｃｏｎｆｉｇｕｒａｔｉｏｎ
２４０１    ＨＡＮＤＯＶＥＲ  ＲＥＱＵＥＳＴ
２４０２    ハンドオーバ先候補セルを抽出するための情報
２４０３    ＨＡＮＤＯＶＥＲ  ＲＥＱＵＥＳＴ  ＡＣＫＮＯＷＬＥＤＧＥ
２４０４    ハンドオーバ先セルの候補リスト
２４０５    ＲＲＣ  Ｃｏｎｎｅｃｔｉｏｎ  Ｒｅｃｏｎｆｉｇｕｒａｔｉｏｎ
２４０６    ＨＡＮＤＯＶＥＲ  ＣＡＮＣＥＬ
２４０７    ハンドオーバさせなかったセルのリスト
【図１】
2013136797.tif 000003
【図２】
2013136797.tif 000004
【図３】
2013136797.tif 000005
【図４】
2013136797.tif 000006
【図５】
2013136797.tif 000007
【図６】
2013136797.tif 000008
【図７】
2013136797.tif 000009
【図８】
2013136797.tif 000010
【国際調査報告】
2013136797.tif 000011
2013136797.tif 000012